(57)【要約】【課題】防水のために施す接着剤がジャックハウジングの後部から突出するコンタクトバネを伝ってその接点部まで浸入し、接触不良を引き起こす問題を解決すること。【解決手段】プラグ挿入孔１ａ、その周囲にコンタクトバネ２を各々位置決め固定する取付溝１ｂ、１ｃ、１ｄ、１ｅ、１ｆ及びコンタクトバネ２を装入するための装入口１ｇを備えたジャックハウジング１と、装入口１ｇから装入して取付溝１ｂ、１ｃ、１ｄ、１ｅ、１ｆに取り付けるコンタクトバネ２と、各コンタクトバネ２の端子部２ａ１、２ｂ１、２ｃ１、２ｄ１、２ｅ１の突出を許容しつつ装入口１ｇを閉じるカバー部材３と、カバー部材３の外面及び装入口１ｇの内縁で囲まれた凹所に施す防水用の接着剤４と、各コンタクトバネ２の基部２ａ３、２ｂ３、２ｃ３、２ｄ３、２ｅ３に開口した円形穴２ａ６、２ｂ６、２ｃ６、２ｄ６又は方形穴２ｅ６とで構成した。【選択図】  図２
2013225386.tif 000002
【特許請求の範囲】
【請求項１】
装入されるプラグを受け入れるプラグ挿入孔、接点部を該プラグ挿入孔に挿入されるプラグの対応する電極に接触させるべく該プラグ挿入孔の周囲に位置決めするコンタクトバネの取付手段、及び該コンタクトバネを該取付手段に取り付けるべく装入するための装入口を備えたジャックハウジングと、
前記装入口から装入して前記取付手段に取り付け、接点部を前記プラグ挿入孔内に進出させ、端子部を前記装入口からジャックハウジング外に突出させたコンタクトバネと、
前記端子部のジャックハウジング外への突出を許容しつつ前記装入口を閉じるカバー部材と、
前記カバー部材の外面及び前記装入口の内縁で囲まれた凹所の全部又は一部に施す防水用の接着剤と、
で構成した防水ジャックにおいて、
前記コンタクトバネの、前記取付手段に取り付け固定するための基部に接着剤溜まりを形成した防水ジャック。
【請求項２】
前記接着剤溜まりとして、前記コンタクトバネの基部に開口した穴を採用した請求項１の防水ジャック。
【請求項３】
本発明の３は、本発明の２の防水ジャックにおいて、
前記穴を円形、楕円形、方形又はスリット状に形成した請求項２の防水ジャック。
【請求項４】
前記接着剤溜まりとして、前記コンタクトバネの、前記取付手段に取付固定するための基部に形成したその両面に開口する凹部を採用した請求項１の防水ジャック。
【発明の詳細な説明】
【技術分野】
【０００１】
本発明は、各種の携帯通信機器その他の電子機器におけるオーディオ信号、ビデオ信号又は各種の制御信号その他の信号の授受、若しくは電力の授受に用いられる機器側に構成されるジャックであって、雨水その他の水分がこれを通じて取付対象機器に浸入するのを防止する防水機能を備えた防水ジャックに関する。
【背景技術】
【０００２】
特許文献１には、二つの防水ジャックの記載がある。
その一は、プラグ挿入孔及びこのプラグ挿入孔に直交する向きに開口する開口部を有するジャック本体と、該プラグ挿入孔内に配するチップバネ、リングバネ及びスリーブバネからなるコンタクトと、該チップバネ及びリングバネが離接する二つのターミナルと、該コンタクト及び二つのターミナルをプラグ挿入孔内に貫通孔を通して配置し、かつ前記開口部をそれ自体で閉塞する絶縁体と、各貫通孔及び開口部を閉塞する一液性又は二液性の接着剤とで構成したものである。
【０００３】
その二は、以上において、前記絶縁体の周囲にはパッキン押圧面を構成し、前記開口部にはパッキン受け面を構成し、該絶縁体を該開口部に嵌合する際に、両者の間に環状パッキンを介在させることとしたもので、その他の点は、その一と同様であり、前記貫通孔には、一液性の接着剤を施すこととしたものである。
【０００４】
従ってこれらの特許文献１に記載のその一及びその二の防水ジャックによれば、プラグ挿入孔に浸入した水は、その一の場合は、前記のように、開口部と絶縁体との間の隙間は二液性の接着剤で閉塞され、絶縁体の貫通孔とコンタクト等との間の隙間は一液性の接着剤で閉塞されており、その二の場合は、前記のように、開口部と絶縁体との間はパッキンで閉塞され、絶縁体の貫通孔とコンタクト等との間の隙間は一液性の接着剤で閉塞されているため、それらの部位を通じてその後方に浸入する虞はない。
【０００５】
しかし、それぞれの部位にジャックハウジングの下方（開口部の下方）側から接着剤を施した際に、その接着剤がコンタクトを伝わってジャックハウジング内に流入する可能性はあり、場合によっては、それがコンタクトの接点部にまで流れ、該接点部の全部又は一部を被覆し、接触不良を生じさせる虞もある。
【先行技術文献】
【特許文献】
【０００６】
【特許文献１】実開平０６−２３１７６号公報（第５頁、図５〜図８、第６頁、第９頁、図２〜図４）
【発明の概要】
【発明が解決しようとする課題】
【０００７】
本発明は、以上のような従来技術の問題点、すなわち、コンタクトバネをジャックハウジング内に装入するための装入用の開口部を該コンタクトバネの端子部のその後方への延長状態を維持しながら何らかのカバー部材で閉じ、このときに生じるコンタクトバネとカバー部材の貫通孔等との間の隙間及びカバー部材の外周と該開口部の内周との間の隙間を接着剤で埋めて防水性を確保しようとした場合に、その接着剤がコンタクトバネを伝わってその先端の接点部まで流動し、該接点部の全部又は一部を被覆して生じるかも知れない接触不良を回避することができる防水ジャックを提供することを解決の課題とする。
【課題を解決するための手段】
【０００８】
本発明の１は、装入されるプラグを受け入れるプラグ挿入孔、接点部を該プラグ挿入孔に挿入されるプラグの対応する電極に接触させるべく該プラグ挿入孔の周囲に位置決めするコンタクトバネの取付手段、及び該コンタクトバネを該取付手段に取り付けるべく装入するための装入口を備えたジャックハウジングと、
前記装入口から装入して前記取付手段に取り付け、接点部を前記プラグ挿入孔内に進出させ、端子部を前記装入口からジャックハウジング外に突出させたコンタクトバネと、
前記端子部のジャックハウジング外への突出を許容しつつ前記装入口を閉じるカバー部材と、
前記カバー部材の外面及び前記装入口の内縁で囲まれた凹所の全部又は一部に施す防水用の接着剤と、
で構成した防水ジャックにおいて、
前記コンタクトバネの、前記取付手段に取り付け固定するための基部に接着剤溜まりを形成した防水ジャックである。
【０００９】
本発明の２は、本発明の１の防水ジャックにおいて、
前記接着剤溜まりとして、前記コンタクトバネの基部に開口した穴を採用したものである。
【００１０】
本発明の３は、本発明の２の防水ジャックにおいて、
前記穴を円形、楕円形、方形又はスリット状に形成したものである。
【００１１】
本発明の４は、本発明の１の防水ジャックにおいて、
前記接着剤溜まりとして、前記コンタクトバネの、前記取付手段に取付固定するための基部に形成したその両面に開口する凹部を採用したものである。
【発明の効果】
【００１２】
本発明の１の防水ジャックによれば、防水用の接着剤を前記装入口の内縁と前記カバー部材の外面とで囲まれた凹所の全部又は一部に施す際に、該カバー部材と前記コンタクトバネとの間の隙間又は該コンタクトバネと該装入口との間の隙間等を通じてかつコンタクトバネに沿ってジャックハウジング内に浸入し、該コンタクトバネの先端の接点部まで流動し、該接点部の全部又は一部をそれで被覆し、接触不良を生じさせるような虞を無くすることができる。
【００１３】
前記接着剤は、プラグ挿入孔に浸入することのある水分が前記装入口を通じて、このジャックを組み込んだ取付対象機器内に浸入してしまうのを防止する趣旨で、該装入口に施し、この部位を確実に水密状態に閉じようとするものである。その際に、単に該装入口に該接着剤を施したのでは、無制限に該接着剤が前記プラグ挿入孔を含むジャックハウジングの内部に浸入してしまうので、該装入口には、前記のように、カバー部材を配し、それを防止しようとするものである。しかし、前記のように、該カバー部材と前記コンタクトバネとの間、該コンタクトバネと該装入口との間、又は該カバー部材と該装入口との間には、若干の隙間が生じていることもあり、ここを通じて接着剤がジャックハウジング内に浸入することもある。
【００１４】
この場合に、浸入する接着剤は、量も多くはなく、問題が生じることは少ないが、コンタクトバネの基部及び可動片部を伝ってその先端側に流れ、先端の接点部の全部又は一部を被覆するようになることもあり、その場合には、接点部の接触不良の問題が生じることになる。
【００１５】
本発明の１の防水ジャックによれば、前記のように、コンタクトバネをジャックハウジング内に取り付ける取付溝のような取付手段に取り付けるための基部に接着剤溜まりを形成したため、以上のように、コンタクトバネを伝って接着剤が流入した場合であっても、その多くが該接着剤溜まりに滞留することになり、その周囲等を伝って更に流れていく接着剤があったとしても、少量であるため、接点部にまで至るおそれは殆どなくなる。それ故、防水のために用いる接着剤により接触不良が生じるような問題を回避することができる。
【００１６】
また前記接着剤溜まりは、前記のように、前記コンタクトバネをジャックハウジング内のプラグ挿入孔の周囲に取り付け固定する際に使用する基部に形成することとしたため、接点部のプラグへの接触圧やプラグの挿脱の際の接点部の動作には影響を与えない。すなわち、コンタクトバネの基部から接点部まで延長する可動片部は、その途中に穴その他による接着剤溜まりが形成されると、その弾力性や強度に大きな影響を与えるが、基部は固定部であり、そのような影響を与えにくい。更に、以上のような接着剤溜まりを備えた構成は、これによって防水性能に影響を与えることがないのも云うまでもない。
【００１７】
本発明の２の防水ジャックによれば、前記接着剤溜まりとして、前記コンタクトバネの基部に開口した穴を採用したため、カバー部材とコンタクトバネとの間の隙間等から流入した接着剤の多くは接着剤溜まりである穴に流入してここに滞留することになり、それ以上接点部側に流れること量は少ないない。それ故、接点部まで届く接着剤は殆どなく、接点部の全部又は一部が接着剤で被覆され、接触不良を生じるような問題は生じない。また本発明の２の防水ジャックによれば、前記接着剤溜まりとして穴を採用したものであり、コンタクトバネを作成する過程で、同時にプレス加工等により、その他の構成と同時に加工可能であり、加工が容易である利点を有する。
【００１８】
本発明の３の防水ジャックによれば、前記穴を円形、楕円形、方形又はスリット状に形成したものであり、いずれも簡単な構成で、加工が容易でありながら、カバー部材とコンタクトバネとの隙間等から流入した接着剤を確実にそこに滞留させることが可能であり、接点部側への流れの殆どを防止することができる。前記のように、これを越えて流れる接着剤の量は非常に少なくなるので、接点部にまで到達することは殆どなく、それ故、接点部に接触不良を生じるような問題は殆ど生じない。なお、楕円形は、その長径を、コンタクトバネの端子部から接点部への方向に直交する向きに形成し、方形も長方形の場合は、同様にその長辺を、コンタクトバネの端子部から接点部への方向に直交する向きに形成するのが適当である。スリット状の場合もその方向は同様である。
【００１９】
本発明の４の防水ジャックによれば、前記接着剤溜まりとして、前記コンタクトバネの、前記取付手段に取付固定するための基部に形成したその両面に開口する凹部を採用したため、本発明の１の場合と同様に、防水用の接着剤を前記装入口の内縁と前記カバー部材の外面とで囲まれた凹所の全部又は一部に施す際に、該カバー部材と前記コンタクトバネとの間の隙間等を通じてかつコンタクトバネに沿ってジャックハウジング内に進入した場合に、該接着剤は、その多くが該コンタクトバネの基部の両面に形成してある凹部に滞留することになり、該コンタクトバネの先端の接点部まで流動し、該接点部の全部又は一部をそれで被覆し、接触不良を生じさせるような虞を殆ど無くすることができる。
【００２０】
コンタクトバネは、非常に薄い導電性の弾性金属板材で構成するものであり、凹部を構成するのは困難な場合もあるが、流入する接着剤は量も少ないので、浅い凹部でも滞留させる効果は十分にある。凹部は両面に形成し、いずれの面に沿って流入した接着剤であっても流れてきた側に位置する凹部で滞留させることができるようにする。両面の凹部は同一位置の両面でも、若干前後にずれた位置に設けても不都合はない。
【図面の簡単な説明】
【００２１】
【図１】(a)はコンタクトバネセットをジャックハウジングに装入しようとする状態を示した平面断面図、(b)はコンタクトバネセットを取り付けたジャックハウジングの装入口をカバー部材で閉じようとしている状態を示す平面断面図、(c)はコンタクトバネセットを取り付けたジャックハウジングの装入口をカバー部材で閉じ、更に接着剤を施した状態を示す平面断面図（防水ジャックの平面断面図）。
【図２】ジャックハウジングにコンタクトバネセットを装入しようとする状態を示す斜視図。
【図３】(a)はコンタクトバネセットを取り付け、装入口をカバー部材で閉じたジャックハウジングの正面側上方から見た斜視図、(b)は背後側上方から見た斜視図、(c)は更に外部から装入口に接着剤を施した状態を示す防水ジャックの背後側上方から見た斜視図。
【図４】(a)はコンタクトバネセットの正面図、(b)は背面図、(c)は平面図、(d)は底面図、(e)は左側面図、(f)は右側面図。
【図５】(a)はリングバネの正面図、(b)は背面図、(c)は平面図、(d)は底面図、(e)は左側面図、(f)は右側面図。
【図６】(a)は第２スリーブバネの正面図、(b)は背面図、(c)は平面図、(d)は底面図、(e)は左側面図、(f)は右側面図。
【図７】(a)は他方の第２スリーブバネの正面図、(b)は背面図、(c)は平面図、(d)は底面図、(e)は左側面図、(f)は右側面図。
【図８】(a)は第１スリーブバネの正面図、(b)は背面図、(c)は平面図、(d)は底面図、(e)は左側面図、(f)は右側面図。
【図９】(a)はチップバネ正面図、(b)は背面図、(c)は平面図、(d)は底面図、(e)は左側面図、(f)は右側面図、(g)は背後上方から見た斜視図。
【図１０】(a)はカバー部材の正面図（内面側）、(b)は背面図（外面側）、(c)は平面図、(d)は底面図、(e)は左側面図、(f)は右側面図、(g)は背面斜め上方から見た斜視図、(h)は(a)のＡ−Ａ線断面図。
【図１１】(a)はジャックハウジングの正面図、(b)は背面図、(c)は正面側上方から見た斜視図、」(d)は背面側上方から見た斜視図。
【図１２】(a)はコンタクトバネセットを取り付けたジャックハウジングの正面図、(b)は背面図、(c)は正面側上方から見た斜視図、(d)は背面側上方から見た斜視図。
【図１３】(a)は防水ジャックの正面図、(b)は背面図、(c)は水平断面したものの正面側斜め上方から見た斜視図、(d)は背面側斜め上方から見た斜視図。
【発明を実施するための形態】
【００２２】
以下、発明を実施するための形態を実施例に基づき、かつ添付図を参照しつつ詳細に説明する。
【００２３】
この実施例の防水ジャックは、図１(a)〜(c)、図３(c)、図１３(a)〜(d)に示すように、プラグ挿入孔１ａ、その周囲の所定の位置に、コンタクトバネ２であるリングバネ２ａ、二つの第２スリーブバネ２ｂ、２ｃ、第１スリーブバネ２ｄ及びチップバネ２ｅをそれぞれ位置決め固定する取付溝（取付手段）１ｂ、１ｃ、１ｄ、１ｅ、１ｆ、及び該コンタクトバネを該取付溝１ｂ、１ｃ、１ｄ、１ｅ、１ｆに取り付けるべく装入するためのコンタクトバネ２の装入口１ｇを備えた、絶縁性プラスチック材で構成したジャックハウジング１と、該装入口１ｇから装入して前記取付溝１ｂ、１ｃ、１ｄ、１ｅ、１ｆに取り付けるリングバネ２ａ、二つの第２スリーブバネ２ｂ、２ｃ、第１スリーブバネ２ｄ及びチップバネ２ｅと、それらのコンタクトバネ２の各端子部２ａ１、２ｂ１、２ｃ１、２ｄ１、２ｅ１の装入口１ｇを通じたジャックハウジング１外への突出を許容しつつ該装入口１ｇを閉じるカバー部材３と、該カバー部材３の外面及び前記装入口１ｇの内縁で囲まれた凹所の一定範囲に施した防水用の接着剤４と、前記リングバネ２ａ、二つの第２スリーブバネ２ｂ、２ｃ、第１スリーブバネ２ｄ及びチップバネ２ｅのそれぞれの基部２ａ３、２ｂ３、２ｃ３、２ｄ３、２ｅ３に開口した接着剤溜まりである円形穴２ａ６、２ｂ６、２ｃ６、２ｄ６又は方形穴２ｅ６とで構成したものである。
【００２４】
前記プラグ挿入孔１ａは、図１(a)〜(c)及び図１３(c)に示すように、ジャックハウジング１の正面に開口する、図示しないプラグを案内する円筒状の空間であり、周側部の最前部には前記第１スリーブバネ２ｄの接点部２ｄ２が、それより若干後方の両周側部には前記二つの第２スリーブバネ２ｂ、２ｂの接点部２ｂ２、２ｃ２が、更に後方の周側部にはリングバネ２ａの接点部２ａ２が、最後部の周側部にはチップバネ２ｅの接点部２ｅ２、２ｅ２が、それぞれ該プラグ挿入孔１ａ内に進出できるように開いている。
【００２５】
また図１(a)に示すように、該プラグ挿入孔１ａの一側の後部内側上下には、前記取付溝１ｂが形成してあり、これは、前記リングバネ２ａの基部２ａ３の両側辺の各々を嵌合状態に取り付ける役割を担当し、該取付溝１ｂと該プラグ挿入孔１ａを挟んで反対側の内側（後部から中間部）上下には前記取付溝１ｃが形成してあり、前記第２スリーブバネ２ｂの基部２ｂ３の両側辺の各々を嵌合状態に取り付ける役割を担当し、前記取付溝１ｂの外側上下で、後部から中間部には前記取付溝１ｄが形成してあり、これは、もう一つの前記第２スリーブバネ２ｃの基部２ｃ３の両側辺の各々を嵌合状態に取り付ける役割を担当する。
【００２６】
更に該取付溝１ｄとプラグ挿入孔１ａを挟んで反対側には、図１(a)に示すように、後部から中間部を越えてその上下には前記取付溝１ｅが形成してあり、これは、前記第１スリーブバネ２ｄの基部２ｄ３の両側辺の各々を嵌合状態に取り付ける役割を担当する。また前記取付溝１ｆは、更に図２及び図１１(b)、(d)に示すように、同図中で、プラグ挿入孔１ａの周側下方に構成してあり、これは、前記チップバネ２ｅの基部２ｅ３を嵌合状態に取り付ける役割を担当する。
【００２７】
前記装入口１ｇは、図２及び図１１(b)、(d)に示すように、ジャックハウジング１の後部全体を開いた四辺形の開口部で、両側上下部及び下部側に、前記取付溝１ｂ、１ｃ、１ｄ、１ｅ、１ｆの後端が開口している。図２に示すように、コンタクトバネ２のセットを図に示す配置で接点部２ａ２、２ｂ２、２ｃ２、２ｄ２、２ｅ２側を先頭にして該装入口１ｇから該ジャックハウジング１内に装入すると、リングバネ２ａ、二つの第２スリーブバネ２ｂ、２ｃ、第１スリーブバネ２ｄ及びチップバネ２ｅの各々の基部２ａ３、２ｂ３、２ｃ３、２ｄ３、２ｅ３が各対応する取付溝１ｂ、１ｃ、１ｄ，１ｅ、１ｆに嵌合するようになっている。なお、コンタクトバネ２のセットは、何らかの支持部材で、図２に示す位置関係に保持すれば、以上のように一度に取付溝１ｂ、１ｃ、１ｄ，１ｅ、１ｆに取付可能になるが、そうでなければ、各コンタクトバネ２は一本ずつ該装入口１ｇから該ジャックハウジング１中に装入して対応する取付溝１ｂ（１ｃ、１ｄ、１ｅ、１ｆ）に嵌合させることになる。
【００２８】
前記リングバネ２ａは、図５(a)〜(f)に示すように、幅広の基部２ａ３と、該基部２ａ３から前方に延長した可動片部２ａ４と、該可動片部２ａ４の先端に構成した前記接点部２ａ２と、該基部２ａ３から後方に延長した延長部２ａ５と、該延長部２ａ５の後端に構成した端子部２ａ１とで構成し、その基部２ａ３には接着剤溜まりである前記円形穴２ａ６が開口してある。該円形穴２ａ６は、同図に示すように、この実施例では基部２ａ３の幅の５０％弱の径に構成したものである。
【００２９】
前記第２のスリーブバネ２ｂは、前記リングバネ２ａとプラグ挿入孔１ａを挟んで反対側の取付溝１ｃに配置され、もう一つの第２スリーブバネ２ｃと対面する態様の配置となるものであり、図６(a)〜(f)に示すように、全体として幅広の基部２ｂ３と、該基部２ｂ３から前方に延長した可動片部２ｂ４と、該可動片部２ｂ４の先端に構成した前記接点部２ｂ２と、該基部２ｂ３から後方に延長した延長部２ｂ５と、該延長部２ｂ５の後端に構成した端子部２ｂ１とで構成し、その基部２ｂ３の前部側には接着剤溜まりである前記円形穴２ｂ６が開口してある。該円形穴２ｂ６は、同図に示すように、この実施例では基部２ｂ３の幅の５０％弱の径に構成したものである。
【００３０】
前記第２のスリーブバネ２ｃは、以上の第２スリーブバネ２ｂと対面する態様の配置で取付溝１ｄにその基部２ｂ３で取り付けられるものであり、図７(a)〜(f)に示すように、全体として幅広の基部２ｃ３と、該基部２ｃ３から前方に延長した可動片部２ｃ４と、該可動片部２ｃ４の先端に構成した前記接点部２ｃ２と、該基部２ｃ３から後方に延長した延長部２ｃ５と、該延長部２ｃ５の後端に構成した端子部２ｃ１とで構成し、その基部２ｃ３の前部側には接着剤溜まりである前記円形穴２ｃ６が開口してある。該円形穴２ｃ６は、同図に示すように、この実施例では基部２ｃ３の幅の５０％弱の径に構成したものである。他の第２スリーブバネ２ｂとは、ほぼ対称形で、端子部２ｃ１のみが異なる。他の第２スリーブバネ２ｂの端子部２ｂ１が延長部２ｂ５を外側に屈曲して後方に延長しているのに対して、この第２スリーブバネ２ｃの端子部２ｃ１は、内側に屈曲して後方に延長しているものである。
【００３１】
前記第１スリーブバネ２ｄは、前記第２スリーブバネ２ｂの外側に配されるコンタクトバネ２であり、図８(a)〜(f)に示すように、全体として幅広の基部２ｄ３と、該基部２ｄ３から前方に延長した可動片部２ｄ４と、該可動片部２ｄ４の先端に構成した前記接点部２ｄ２と、該基部２ｄ３から後方に延長した延長部２ｄ５と、該延長部２ｄ５の後端に構成した端子部２ｄ１とで構成し、その基部２ｄ３の前部側には接着剤溜まりである前記円形穴２ｄ６が構成してある。該円形穴ｄｂ６は、図８(e)、(f)に示すように、この実施例では基部２ｄ３の幅の５０％弱の径に構成したものである。
【００３２】
前記チップバネ２ｅは、図９(a)〜(g)に示すように、全体として幅広の基部２ｅ３と、該基部２ｅ３の両側から立ち上げた可動片部２ｅ４、２ｅ４と、該可動片部２ｅ４、２ｅ４の各々の先端内側に構成した前記接点部２ｅ２、２ｅ２と、該基部２ｅ３から後方に延長した延長部２ｅ５と、該延長部２ｅ５の後端に延長状態に構成した端子部２ｅ１とで構成し、その基部２ｅ３の後部側には接着剤溜まりである前記方形穴２ｅ６が構成してある。該方形穴２ｅ６は、図９(c)、(d)、(g)に示すように、この実施例では基部２ｅ３の幅の５０％弱の幅に構成したものである。
【００３３】
以上の接着剤溜まりである円形穴２ａ６、２ｂ６、２ｃ６、２ｄ６又は方形穴２ｅ６は、これらを形成するコンタクトバネ２の基部２ａ３、２ｂ３、２ｃ３、２ｄ３、２ｅ３の幅にできるだけ近い径又は幅を有するものに構成するのが、流れてきた接着剤を通過させず、この部位に滞留させる観点からは好ましいが、その径や幅が大きすぎると、基部２ａ３、２ｂ３、２ｃ３、２ｄ３、２ｅ３の強度を低下させる虞があり、前記５０％弱程度が高い効果を得られつつ強度の低下を来さない適当は径又は幅である。
【００３４】
なお、この実施例では、以上の５種類のコンタクトバネ２を備えた防水ジャックを適用対象としているが、これには全く限定されない。種類の全く異なるコンタクトバネ２を備えた防水ジャックでも数が全く異なる防水ジャックでも全く不都合ではない。
【００３５】
前記カバー部材３は、ジャックハウジング１内に配置したコンタクトバネ２の各々の端子部２ａ１、２ｂ１、２ｃ１、２ｄ１、２ｅ１の後方への突出を許容しながら該ジャックハウジング１の後部に開口する装入口１ｇを閉じる絶縁性の板状のプラスチック部材である。特に図１０(a)〜(h)に示すように、装入口１ｇを僅かに下回るほぼ横長四辺形の絶縁性板状部材で、正面（内側）中央に凹部を有する。背面側（外面側）から見れば、中央に膨らむ突出部３ｆを有する。
【００３６】
図１０(a)に示すように、正面側から見て、該カバー部材３の左側の高さ方向中央付近から下方には、第２スリーブバネ２ｃの延長部２ｃ５を前記装入口１ｇの対応する側縁との間から通過させるための切欠３ａを形成してあり、その直近の右側にはリングバネ２ａの延長部２ａ５を通過させるためのスリット３ｂが高さ方向中央部付近から最下部までに形成してある。以上の切欠３ａの幅は延長部２ｃ５の厚さを、以上のスリット３ｂの幅も延長部２ａ５の厚さを、それぞれ僅かに越えるように構成してある。それぞれの高さは対応する延長部２ｃ５、２ａ５のは幅をそれぞれ僅かに越えるものとしてある。
【００３７】
また該カバー部材３の中央最下部には、チップバネ２ｅの延長部２ｅ５が装入口１ｇの下縁との間から通過するための切欠３ｃを形成してある。該切欠３ｃの幅は、該延長部２ｅ５の幅を、該切欠３ｃの高さは、該延長部２ｅ５の厚さを、それぞれ僅かに越える寸法とする。
【００３８】
更に該カバー部材３の右側で高さ方向の中央付近から下方には、第１スリーブバネ２ｄの延長部２ｄ５を前記装入口１ｇの対応する側縁との間から通過させるための切欠３ｄを形成してあり、その直近の左側には第２スリーブバネ２ｂの延長部２ｂ５を通過させるためのスリット３ｅが高さ方向中央部付近から最下部までに形成してある。以上の切欠３ｄの幅は延長部２ｄ５の厚さを、以上のスリット３ｅの幅は延長部２ｂ５の厚さを、それぞれ僅かに越えるように構成してある。またそれぞれの高さは対応する延長部２ｄ５、２ｂ５の幅をそれぞれ僅かに越えるものとしてある。
【００３９】
従ってこの実施例の防水ジャックによれば、ジャックハウジング１に所定のコンタクトバネ２をセットし、装入口１ｇを前記カバー部材３で閉じ、その背後から防水のために前記接着剤４を施した場合に、コンタクトバネ２と該カバー部材３との隙間からジャックハウジング１内に該接着剤４が流入するようなことがあっても、該コンタクトバネ２の基部２ａ３、２ｂ３、２ｃ３、２ｄ３、２ｅ３には円形穴２ａ６、２ｂ６、２ｃ６、２ｄ６又は方形穴２ｅ６が開口してあり、これらが接着剤溜まりとして機能するため、それらの接着剤４の多くが該円形穴２ａ６、２ｂ６、２ｃ６、２ｄ６又は該方形穴２ｅ６に滞留し、それぞれの接点部２ａ２、２ｂ２、２ｃ２、２ｄ２、２ｅ２にまで至り、これらを被覆し、接触不良を生じさせるような問題を発生させることは殆どない。他方、この実施例の防水ジャックが十分に高い防水性を維持できることは言うまでも無い。
【００４０】
ジャックハウジング１には、図１(a)及び図２に示すように、その後部の装入口１ｇからコンタクトバネ２であるリングバネ２ａ、二つの第２スリーブバネ２ｂ、２ｃ、第１スリーブバネ２ｄ及びチップバネ２ｅを、それぞれ前記プラグ挿入孔１ａの周囲に位置決め固定する取付溝１ｂ、１ｃ、１ｄ、１ｅ、１ｆに向けて装入する。何らかの手段でそれらの位置関係を固定して装入するか、または個別に装入する。当然、それぞれの基部２ａ３、２ｂ３、２ｃ３、２ｄ３の両側辺が各上下の取付溝１ｂ、１ｃ、１ｄ、１ｅに進入し、基部２ｅ３が取付溝１ｆに進入するようにする。
【００４１】
図１(b)は、以上のリングバネ２ａ、二つの第２スリーブバネ２ｂ、２ｃ、第１スリーブバネ２ｄ及びチップバネ２ｅの各基部２ａ３、２ｂ３、２ｃ３、２ｄ３の両側辺がそれぞれ取付溝１ｂ、１ｃ、１ｄ、１ｅ、２ｅ３、１ｆに嵌合状態となってプラグ挿入孔１ａの周囲に適正に配置され、それぞれの接点部２ａ２、２ｂ２、２ｃ２、２ｄ２、２ｅ２、２ｅ２が該プラグ挿入孔１ａのそれぞれ所定の位置に進出している状態を示している。図１２(b)、(d)は、以上の状態の装入口１gの状態を示している。
【００４２】
この後、図１(b)、(c)に示すように、前記カバー部材３を、その正面側を内側にして、該ジャックハウジング１の装入口１ｇに押し込み、図３(b)に示すように、該装入口１ｇを閉じる。このとき、言うまでも無く、同図に示すように、前記リングバネ２ａ、二つの第２スリーブバネ２ｂ、２ｃ、第１スリーブバネ２ｄ及びチップバネ２ｅの延長部２ａ５はカバー部材３の背後側から見て右側のスリット３ｂを通過し、延長部２ｂ５は、左側のスリット３ｅを、延長部２ｃ５は右側の切欠３ａと対面する装入口１ｇの側縁との間を、延長部２ｄ５は左側の切欠３ｄと対面する装入口１ｇの側縁との間を、延長部２ｅ５は下部の切欠３ｃと装入口１ｇの下縁との間を、それぞれ通過し、それぞれその後端の端子部２ａ１、２ｂ１、２ｃ１、２ｄ１、２ｅ１を外部に露出させている。
【００４３】
次いで、図１(c)、図３(c)及び図１３(b)〜(d)に示すように、該装入口１ｇの内側かつ前記カバー部材３の背後側に、該カバー部材３の突出部３ｆの外面に一致するまで接着剤４を充填し、該カバー部材３と各コンタクトバネ２との間の隙間、装入口１ｇと該カバー部材３との間の隙間、その他の隙間を該接着剤４で埋め、水密性を確保する。
【００４４】
このとき、コンタクトバネ２と該カバー部材３との間の隙間その他の隙間からジャックハウジング１内に該接着剤４が流入することがあり得るが、特に問題となる可能性があるのは、前記したように、コンタクトバネ２を伝わって流入する場合である。この場合は、もしその先端側まで流入すれば、該接着剤４が接点部２ａ２、２ｂ２、２ｃ２、２ｄ２、２ｅ２、２ｅ２を被覆し、接触不良を引き起こすに至る可能性があるからである。しかしこの実施例の防水ジャックにおいては、前記リングバネ２ａ、二つの第２スリーブバネ２ｂ、２ｃ、第１スリーブバネ２ｄ及びチップバネ２ｅの延長部２ａ５を伝って流入する接着剤４は、流入途中で、その多くが基部２ａ３、２ｂ３、２ｃ３、２ｄ３、２ｅ３に構成した円形穴２ａ６、２ｂ６、２ｃ６、２ｄ６又は方形穴２ｅ６に接触することになり、ここに滞留することになるからである。
【００４５】
なお、若干の接着剤４は、該円形穴２ａ６、２ｂ６、２ｃ６、２ｄ６又は方形穴２ｅ６の両側等を通過して更に可動片部２ａ４、２ｂ４、２ｃ４、２ｄ４、２ｅ４に流入する場合もあり得るが、その量は少なく、更にその少ない量の接着剤４がそれらの面の上を広がって行くので、先端の接点部２ａ２、２ｂ２、２ｃ２、２ｄ２、２ｅ２、２ｅ２に至ることは殆どなくなり、接着剤４の被覆に起因する接触不良が生じることはあり得ないものとなる。
【産業上の利用可能性】
【００４６】
本発明の防水ジャック構造によれば、各種の電子機器の製造の分野で有効に利用することができる。
【符号の説明】
【００４７】
１    ジャックハウジング
１ａ  プラグ挿入孔
１ｂ、１ｃ、１ｄ、１ｅ、１ｆ  取付溝（取付手段）
１ｇ  装入口
２    コンタクトバネ
２ａ  リングバネ
２ａ１  端子部
２ａ２  接点部
２ａ３  基部
２ａ４  可動片部
２ａ５  延長部
２ａ６  円形穴（接着剤溜まり）
２ｂ  第２スリーブバネ
２ｂ１  端子部
２ｂ２  接点部
２ｂ３  基部
２ｂ４  可動片部
２ｂ５  延長部
２ｂ６  円形穴（接着剤溜まり）
２ｃ  第２スリーブバネ
２ｃ１  端子部
２ｃ２  接点部
２ｃ３  基部
２ｃ４  可動片部
２ｃ５  延長部
２ｃ６  円形穴（接着剤溜まり）
２ｄ  第１スリーブバネ
２ｄ１    端子部
２ｄ２  接点部
２ｄ３  基部
２ｄ４  可動片部
２ｄ５  延長部
２ｄ６  円形穴（接着剤溜まり）
２ｅ  チップバネ
２ｅ１  端子部
２ｅ２  接点部
２ｅ３  基部
２ｅ４  可動片部
２ｅ５  延長部
２ｅ６  方形穴（接着剤溜まり）
３    カバー部材
３ａ  切欠
３ｂ  スリット
３ｃ  切欠
３ｄ  切欠
３ｅ  スリット
３ｆ  突出部
４    接着剤
【図１】
2013225386.tif 000003
【図２】
2013225386.tif 000004
【図３】
2013225386.tif 000005
【図４】
2013225386.tif 000006
【図５】
2013225386.tif 000007
【図６】
2013225386.tif 000008
【図７】
2013225386.tif 000009
【図８】
2013225386.tif 000010
【図９】
2013225386.tif 000011
【図１０】
2013225386.tif 000012
【図１１】
2013225386.tif 000013
【図１２】
2013225386.tif 000014
【図１３】
2013225386.tif 000015